(57)【要約】【課題】屋根裏空間の温度上昇を防止しながら、しかも、屋根裏空間を部屋として有効利用することを可能とする屋根パネル、屋根の換気構造、屋根パネルの設置構造を提供すること。【解決手段】一端部９ｂ１１が軒１ａを形成し、他端部９ｂ１２が棟１ｂ側に位置した状態に屋根を構成する屋根パネル（下部屋根パネル９ｂ）を以下のように構成した。すなわち、屋根パネルは、枠体内に設けられる断熱材（ロックウール９ｂ３）と、この断熱材と面材９ｂ２との間に、一端部９ｂ１１側から他端部９ｂ１２側に向かう方向に沿って設けられる通気層９ｂ８とを備えている。屋根パネルの一端部９ｂ１１には、通気層９ｂ８に外気ａを取り入れるための吸気孔（外気取入孔９ｂ７）が軒下１ａ１側に向けて設けられ、他端部９ｂ１２には、通気層９ｂ８から外気ａが抜け出るための抜出孔（通気孔９ｂ９）が設けられている。【選択図】      図８
2004169417.tif 000002
【特許請求の範囲】
【請求項１】
枠体と、この枠体の少なくとも上側に取り付けられる面材とを有し、一端部が軒を形成するとともに他端部が棟側に位置した状態に屋根を構成する屋根パネルであって、
枠体内に設けられる断熱材と、
この断熱材と前記面材との間に、前記一端部側から他端部側に向かう方向に沿って形成される通気層と、
前記一端部で軒下側に向けて形成され、前記通気層に外気を取り入れるための吸気孔と、
前記他端部に形成され、前記通気層から外気が抜け出るための抜出孔とを備えることを特徴とする屋根パネル。
【請求項２】
請求項１に記載の屋根パネルを用いた屋根の換気構造であって、
前記屋根は複数の屋根パネルを設置することにより形成された切妻形式の建物におけるものであり、
棟部と建物妻面とのうちの少なくとも一方には、前記屋根パネルの抜出孔から抜け出た外気を外部空間に排出するための排気孔が形成されていることを特徴とする屋根の換気構造。
【請求項３】
請求項１に記載の屋根パネルを用いた屋根の換気構造であって、
前記屋根は複数の屋根パネルを設置することにより形成された寄棟形式の建物におけるものであり、
棟部には、前記屋根パネルの抜出孔から抜け出た外気を外部空間に排出するための排気孔が形成されていることを特徴とする屋根の換気構造。
【請求項４】
前記屋根パネルに形成された抜出孔と前記棟部との間には、前記抜出孔から抜け出た外気が停留する停留部が設けられていることを特徴とする請求項２又は請求項３に記載の屋根の換気構造。
【請求項５】
前記棟部には前記排気孔が形成され、
この排気孔と前記屋根パネルに形成された抜出孔とは近接していることを特徴とする請求項２〜請求項４のいずれか一項に記載の屋根の換気構造。
【請求項６】
請求項１に記載の屋根パネルの設置構造であって、
軒と棟との間には、これらに沿って梁材が設けられ、
前記屋根パネルの他端部が前記梁材に支持されていることを特徴とする屋根パネルの設置構造。
【発明の詳細な説明】
【０００１】
【発明の属する技術分野】
本発明は、プレハブ化工法によって構築される建物の、屋根パネル、屋根の換気構造、屋根パネルの設置構造に関する。
【０００２】
【背景の技術】
近年、住宅の構築においては、いわゆるプレハブ化が進み、特に最近は洗練されたプランが多く生み出され、工期とともにデザイン性も注目されている。プレハブ化工法においては、床、壁、屋根等がユニット化された床パネル、壁パネル、屋根パネル等が用いられ、これらを用いるパネル工法は、工期短縮の真髄とも言える。
【０００３】
パネル工法における屋根パネルは、一般に芯材や面材等によって構成されるものであり、ロックウール等の断熱材が一体的に設けられた状態に工場生産され、現場に搬入されて所定位置に設置される。
【０００４】
しかしながら、従来のパネル工法においては、屋根パネルが軒桁に直接載るために屋根裏空間が密閉空間となり、このため夏場等には、屋根パネルの断熱材が吸収した熱によって屋根裏空間の温度が上昇し、屋根裏空間下方の居住性が悪くなってしまうという問題があった。
【０００５】
この問題を解決する技術としては、例えば、以下に示す特許文献１に記載の技術がある。特許文献１に記載の技術は、その第５図等に示すように（図１１参照）、屋根パネル１０１と軒桁１０２との間に、屋根傾斜角に等しい角度の傾斜面を有する傾斜部材１０３を断続的に配することにより屋根パネル１０１の下方に通気孔を形成するものである。
この技術においては、通気孔から外気Ａが入り込んで屋根裏空間の換気が行われるため、夏場等においても、屋根パネルの断熱材が吸収した熱による屋根裏空間の温度上昇が防止されている。
【０００６】
【特許文献１】
特開平１０−１８３８４６号公報、第１図、第５図
【０００７】
【発明が解決しようとする課題】
しかしながら、特許文献１に記載の技術においては、屋根裏空間にその下部から外気が入り込む。この屋根裏空間の下部から入り込む外気は、居住性を考慮すると好ましくない。すなわち、屋根裏空間を部屋として有効利用することを考えた場合には、何らかの対処が必要となり手間が生じる。なお、このような屋根裏空間を部屋として有効利用しようとするプランは、例えば山小屋等において多用されている。
【０００８】
本発明の課題は、屋根裏空間の温度上昇を防止しながら、しかも、屋根裏空間を部屋として有効利用することを可能とする屋根パネル、屋根の換気構造、屋根パネルの設置構造を提供することである。
【０００９】
【課題を解決するための手段】
上記課題を解決するために、請求項１に記載の発明は、例えば図４、図８、図９、図１０に示すように、
枠体と、この枠体の少なくとも上側に取り付けられる面材９ｂ２とを有し、一端部９ｂ１１が軒１ａを形成するとともに他端部９ｂ１２が棟１ｂ側に位置した状態に屋根を構成する屋根パネル（下部屋根パネル９ｂ）であって、
枠体内に設けられる断熱材（ロックウール９ｂ３）と、
この断熱材（ロックウール９ｂ３）と前記面材９ｂ２との間に、前記一端部９ｂ１１側から他端部９ｂ１２側に向かう方向に沿って設けられる通気層９ｂ８と、
前記一端部９ｂ１１で軒下１ａ１側に向けて設けられ、前記通気層９ｂ８に外気ａを取り入れるための吸気孔（外気取入孔９ｂ７）と、
前記他端部９ｂ１２に設けられ、前記通気層９ｂ８から外気ａが抜け出るための抜出孔（通気孔９ｂ９）とを備えることを特徴としている。
【００１０】
請求項１に記載の発明によれば、軒１ａを形成する屋根パネル（下部屋根パネル９ｂ）の一端部９ｂ１１には吸気孔（外気取入孔９ｂ７）が設けられ、この吸気孔（外気取入孔９ｂ７）から取り入れられた外気ａが、一端部９ｂ１１側から他端部９ｂ１２側に向かって通気層９ｂ８を通過し、屋根棟１ｂ側に位置する他端部９ｂ１２に形成された抜出孔（通気孔９ｂ９）から抜け出る。これにより、屋根パネル（下部屋根パネル９ｂ）内部には熱がこもらず、屋根パネル（下部屋根パネル９ｂ）の温度上昇が抑えられ、屋根裏空間の温度上昇も抑えられる。なお、屋根パネル（下部屋根パネル９ｂ）の抜出口（通気孔９ｂ９）は、屋根棟１ｂ部側に位置しているので、屋根裏空間の下部からは外気ａが入り込まず、したがって、屋根裏空間に居住性を考慮した適度な換気を行うことができる。すなわち、屋根裏空間の温度上昇を防止しながら、屋根裏空間を部屋としても有効利用できる。
【００１１】
請求項２に記載の発明は、例えば図１〜図３、図５〜図１０に示すように、請求項１に記載の屋根パネル（下部屋根パネル９ｂ）を用いた屋根の換気構造であって、
前記屋根は複数の屋根パネル（下部屋根パネル９ｂ）を設置することにより形成された切妻形式の建物（住宅１）におけるものであり、
棟１ｂ部と建物妻面（頂部壁パネル５ａ）とのうちの少なくとも一方には、前記屋根パネル（下部屋根パネル９ｂ）の抜出孔（通気孔９ｂ９）から抜け出た外気ａを外部空間に排出するための排気孔９ａ４（貫通孔５ａ７）が形成されていることを特徴としている。
【００１２】
請求項２に記載の発明によれば、切妻形式の建物（住宅１）に設置された屋根パネル（下部屋根パネル９ｂ）の抜出孔（通気孔９ｂ９）から抜け出た外気ａは、棟１ｂ部と建物妻面（頂部壁パネル５ａ）とのうちの少なくとも一方に形成された排気孔９ａ４（貫通孔５ａ７）から外部空間に排出される。すなわち、換気経路を確実に確保しながら、建物（住宅１）の換気をより安定的に行うことができる。
【００１３】
請求項３に記載の発明は、請求項１に記載の屋根パネルを用いた屋根の換気構造であって、
前記屋根は複数の屋根パネルを設置することにより形成された寄棟形式の建物におけるものであり、
棟部には、前記屋根パネルの抜出孔から抜け出た外気を外部空間に排出するための排気孔が形成されていることを特徴としている。
【００１４】
請求項３に記載の発明によれば、寄棟形式の建物に設置された屋根パネルの抜出孔から抜け出た外気は、棟部に形成された排気孔から外部空間に排出される。すなわち、換気経路を確実に確保しながら、建物の換気をより安定的に行うことができる。
【００１５】
請求項４に記載の発明は、例えば図８、図１０に示すように、請求項２又は請求項３に記載の屋根の換気構造において、
前記屋根パネル（下部屋根パネル９ｂ）に形成された抜出孔（通気孔９ｂ９）と前記棟１ｂ部との間には、前記抜出孔（通気孔９ｂ９）から抜け出た外気ａが停留する停留部１ｂ１が設けられていることを特徴としている。
【００１６】
請求項４に記載の発明によれば、屋根パネル（下部屋根パネル９ｂ）に形成された抜出孔（通気孔９ｂ９）と棟１ｂ部との間に設けられた停留部１ｂ１によって、抜出孔（通気孔９ｂ９）から抜け出た外気ａが停留する。停留した外気ａは、屋根裏空間内部の空気の流れに乗って屋根裏空間全体に行き渡る。すなわち、屋根裏空間全体にわたっての換気を行うことができる。
【００１７】
請求項５に記載の発明は、請求項２〜請求項４のいずれか一項に記載の屋根の換気構造において、
前記棟１ｂ部には前記排気孔９ａ４が形成され、
この排気孔９ａ４と前記屋根パネル（下部屋根パネル９ｂ）に形成された抜出孔（通気孔９ｂ９）とは近接していることを特徴としている。
【００１８】
請求項５に記載の発明によれば、棟１ｂ部には排気孔９ａ４が形成され、この排気孔９ａ４と屋根パネル（下部屋根パネル９ｂ）に形成された抜出孔（通気孔９ｂ９）とは近接している。これにより、屋根パネル（下部屋根パネル９ｂ）内部には熱がこもらず、屋根パネル（下部屋根パネル９ｂ）及び屋根裏空間の温度上昇は抑えられるが、屋根裏空間の換気量は小さくなる。すなわち、屋根裏空間上部のみの換気を行うことができる。
【００１９】
請求項６に記載の発明は、例えば図７〜図１０に示すように、請求項１に記載の屋根パネル（下部屋根パネル９ｂ）が屋根として設置された屋根パネル（下部屋根パネル９ｂ）の設置構造であって、
軒１ａと棟１ｂとの間には、これらに沿って梁材（中間部梁８）が設けられ、
前記屋根パネル（下部屋根パネル９ｂ）の他端部９ｂ１２が前記梁材（中間部梁８）に支持されていることを特徴としている。
【００２０】
請求項６に記載の発明によれば、軒１ａと棟１ｂとの間には、これらに沿って梁材（中間部梁８）が設けられ、屋根パネル（下部屋根パネル９ｂ）の他端部は梁材（中間部梁８）に支持されている。すなわち、屋根パネル（下部屋根パネル９ｂ）の他端部９ｂ１２は、棟１ｂ部に設けられる梁材によってではなく、棟１ｂより軒１ａ側に位置する梁材（中間部梁８）によって支持されている。これにより、屋根パネル（下部屋根パネル９ｂ）を棟１ａと軒１ｂとにまたがるように大きく形成する必要がない。したがって、屋根パネル（下部屋根パネル９ｂ）を安価に製造することができる。
【００２１】
【発明の実施の形態】
以下、本発明である屋根パネル、屋根の換気構造、屋根パネルの設置構造、の実施形態について詳細に説明する。
【００２２】
図１において、符号１は住宅を示す。本発明は、図１に示すようなロッジ風の住宅１の構築に利用されるものである。この住宅１は、木造２階建てであり、パネル工法によって構築される。この住宅１の２階部分は、切妻形式の屋根の屋根裏空間を部屋として利用するものである。
【００２３】
以下、住宅１（建物）のうち、本発明に係る２階部分を中心に説明する。
この住宅１は、壁や屋根等の部材がそれぞれパネル化して構成されており、これらのパネルを、図示しない係合材、ボルト、釘等によって連結しながら構築される。
住宅１の２階部分には、図１、図２に示すように、互いに対向するようにして妻方向の壁２ａ、２ｂが立設され、この妻方向の壁２ａ、２ｂに直交して連結されるようにして桁方向の壁６が立設されている。この妻方向の壁２ａ、２ｂおよび桁方向の壁、さらに、妻方向の壁２ａ、２ｂを繋ぐようにして設けられる頂部梁７および中間部梁８（梁材）に支持されるようにして、上部屋根パネル９ａ、下部屋根パネル９ｂ（屋根パネル）、ケラバ屋根パネル９ｃが設置されている。
なお、中間部梁８は、頂部梁７と桁方向の壁６の上端部との間に、その中間位置より上方に位置するように配されているため、下部屋根パネル９ｂは上部屋根パネル９ａよりも大きく形成されている。
【００２４】
妻方向の壁２ａ、２ｂは、外壁２ａと内壁２ｂとに分かれており、それぞれ２階を構成する部分は、図３（ｂ）、図３（ｃ）に示すように、略三角形状に形成されており、それぞれ開口部を備える中央部壁パネル３ａ、３ｂと、この中央部壁パネル３ａ、３ｂの両側部に連結されるとともに、桁方向の壁６に連結される側部壁パネル４ａ、４ｂと、中央部壁パネル３ａ、３ｂの上端部に設置される頂部壁パネル５ａ（妻面）、５ｂと、によって構成されている。
【００２５】
このうち、外壁となる妻方向の壁２ａ、２ｂａの頂部に設置される頂部壁パネル５ａは、図３（ａ）に示すように、略三角形状であり、この頂部壁パネル５ａの頂部５ａ１および隅部５ａ２には、予め、略台形状の梁受合板５ａ３、５ａ４がボルト等によって固定されている。なお、頂部壁パネル５ａ、５ｂの隅部下端部の角部５ａ５、５ｂ５は略直角に形成されている。略三角形状の頂部壁パネルの頂部５ａ１に配される、略台形状の梁受合板５ａ３は、上底部が上方に向くように、隅部５ａ２に配される梁受合板５ａ４は、下底部が頂部５ａ１から隅部５ａ２へと形成される斜辺に平行となるように配されている。なお、内壁となる妻方向の壁２ａ、２ｂの頂部に設置される頂部壁パネル５ｂは、斜辺に段差部５ｂ７が形成されている他は、外壁となる妻方向の壁２ａ、２ｂａの頂部に設置される頂部壁パネル５ａと同一である。そして、図３（ｂ）、図３（ｃ）に示す頂部壁パネル５ａ、５ｂの頂部５ａ１、５ｂ１どうしおよび隅部５ａ２、５ｂ２どうしを繋ぐようにして、かつ、図示しない梁受金物を介して梁受合板５ａ３、５ｂ３、５ａ４、５ｂ４に支持されるようにして、Ｈ型鋼である頂部梁７および中間部梁８が設けられる。
【００２６】
頂部壁パネル５ａ、５ｂにおいては、それぞれの頂部５ａ１、５ｂ１に設けられる梁受合板５ａ３、５ｂ３の下方には貫通孔５ａ７（排気孔）、５ｂ８がそれぞれ形成されている。この貫通孔５ａ７、５ｂ８によって、屋根における換気経路が確実に形成されるようになっている。
【００２７】
また、それぞれ、中央部壁パネル３ａ、３ｂの両側部に連結される側部壁パネル４ａ、４ｂは、屋根を支持する斜辺を備えるとともに、桁方向の壁６に当接するようにして形成されている。なお、側部壁パネル４ａ、４ｂは、立設させた場合に中央部壁パネル３ａ、３ｂとの当接部において、頂部壁パネル５ａ、５ｂの隅部下端部に形成された角部５ａ５、５ｂ５に係合する角部受５ａ６、５ｂ６が形成されるように、中央部壁パネル３ａ、３ｂの高さよりも所定寸法大きくなるように形成されている。
【００２８】
上部屋根パネル９ａは、図８等に示すように、芯材９ａ１の片面に面材９ａ２が設けられて形成されており、棟１ｂを形成するように互いに対抗して設置されている。上部屋根パネル９ａの、棟１ｂ部側の互いに対抗する芯材９ａ１間には、外部へ通じる所定の隙間、すなわち排気孔９ａ４が形成されており、これにより、屋根裏空間の上部から外部へ向けて通気が確保されている。なお、芯材９ａ１間の隙間の上部には、雨水等の侵入を防止する棟包み９ａ３が設けられている。
【００２９】
下部屋根パネル９ｂは、図１等に示すように、一端部９ｂ１１が軒１ａを形成するとともに他端部９ｂ１２が棟１ｂ側に位置した状態に屋根を構成するものである。下部屋根パネル９ｂは、図４（ａ）〜図４（ｄ）等に示すように、芯材９ｂ１の両面に面材９ｂ２が設けられて形成されており、中間部梁８と桁方向の壁６の上端部との比較的大きなスパンに設置可能となるように、所定の剛性を備えている。
【００３０】
下部屋根パネル９ｂの内部にはロックウール９ｂ３（断熱材）が予め工場等で充填されている。このロックウール９ｂ３によって、屋根裏の空間には断熱効果が生じ、快適な利用が可能となっている。なお、このロックウール９ｂ３は、現場で設ける必要がないため、コストが低減されるとともに施工上安全となる。
【００３１】
下部屋根パネル９ｂには、この下部屋根パネル９ｂの搬送時や施工時に用いられる、ストッパ９ｂ４、高さ補正部材９ｂ５、落下防止材９ｂ６等が設けられている。
【００３２】
下部屋根パネル９ｂには、図８、図９等にも示すように、外気取入孔９ｂ７（吸気孔）、通気層９ｂ８、通気孔９ｂ９（抜出孔）等が形成されている。外気取入孔９ｂ７は、一端部９ｂ１１の短辺方向の芯材９ｂ１とロックウール９ｂ３との間に軒下１ａ１側に向けて設けられ、前記通気層９ｂ８に外気ａを取り入れるためのものである。通気層９ｂ８は、一体的に設けられるロックウール９ｂ３と前記面材９ｂ２との間に、一端部９ｂ１１側から他端部９ｂ１２側に向かう方向に沿って設けられる。外気取入孔９ｂ７は、他端部９ｂ１２の短辺方向の芯材９ｂ１に対して切欠状に設けられ、通気層９ｂ８から外気ａが抜け出るためのものである。
【００３３】
なお、下部屋根パネル９ｂの上端部側の芯材９ｂ１には、上部屋根パネルの下端部側の芯材９ａ１を受けるための受材９ｂ１０が取り付けられている。この受材９ｂ１０によって、上部屋根パネル９ａは、下部屋根パネル９ｂの上端部の芯材９ｂ１に形成された通気孔９ｂ９を塞がない状態に設置されている。
【００３４】
以下、住宅１の施工方法について説明する。２階建て住宅のうち、本発明に係る２階部分の住宅の構築について説明する。
【００３５】
先ず、図５に示すように、２階部分の妻方向の壁２ａ、２ｂである中央部壁パネル３ａ、３ｂおよび側部壁パネル４ａ、４ｂや、桁方向の壁６を建て込み、周知の方法で互いに連結しながら固定する。この際、中央部壁パネル３ａ、３ｂと側部壁パネル４ａ、４ｂとの当接部においては、側部壁パネル４ａ、４ｂの高さが中央部壁パネル３ａ、３ｂの高さよりも所定寸法大きくなるように形成されていることにより、頂部壁パネル５ａ、５ｂの隅部下端部に形成された角部５ａ５、５ｂ５に係合する角部受５ａ６、５ｂ６が形成される。
【００３６】
次に、図６（ａ）に示すように、頂部壁パネル５ａ、５ｂを、その隅部下端部に略直角に形成された角部５ａ５、５ｂ５が、中央部壁パネル３ａ、３ｂと側部壁パネル４ａ、４ｂとによって形成された角部受５ａ６、５ｂ６に係合するようにして設置する。その後、図６（ｂ）に示すように、ダイヤル下げ振り１０等を用いて中央部壁パネル３ａ、３ｂや側部壁パネル４ａ、４ｂの鉛直精度を確認し、パネルステー１１等によって仮保持させておく。
【００３７】
次に、図７に示すように、頂部壁パネル５ａ、５ｂの頂部５ａ１、５ｂ１どうしを繋ぐようにして、かつ、梁受合板５ａ３、５ｂ３に、図示しない梁受金物を介して支持されるようにして、Ｈ型鋼である頂部梁７を設ける。同様に、頂部壁パネル５ａ、５ｂの隅部５ａ２、５ｂ２どうしを繋ぐようにして、かつ、梁受合板５ａ４、５ｂ４に、図示しない梁受金物を介して支持されるようにしてＨ型鋼である中間部梁８を設ける。なお、梁受金物は、図示しないボルト等によって梁受合板５ａ３、５ｂ３、梁受合板５ａ４、５ｂ４に固定されるととともに、Ｈ型鋼である中間部梁８や頂部梁７は、該梁受金物に図示しないボルト等によって固定される。
【００３８】
次に、図７〜図９に示すように、頂部梁７、中間部梁８、に支持されるようにして上部屋根パネル９ａを設置するとともに、中間部梁８、桁方向の壁６、に支持されるようにして、上部屋根パネル９ａよりも大きい下部屋根パネル９ｂを設置する。この際、図８に示すように、下部屋根パネル９ｂの下部に設けられているストッパ９ｂ４を、桁方向の壁６に当接させて下部屋根パネル９ｂの位置を確定させる。
【００３９】
次に、図１０に示すように、天井防湿シート１２を、下部屋根パネル９ｂの内側の中間部梁８近傍から内壁１３の内側まで延在するようにして、所定の重ね幅を設けながら釘等によって下部屋根パネル９ｂの芯材９ｂ１に固定して取り付ける。
この天井防湿シート１２の取り付け後、内壁１３の内側には石膏ボード１４を、中間部梁８の下方においては、天井下地胴縁１５の取付けを行う。天井下地胴縁１５からは、野縁を吊り下げて天井１６を形成し、この天井１６によって中間部梁８が隠れるようにする。
【００４０】
本実施の形態によれば、以下のような効果を得ることができる。
▲１▼軒１ａを形成する下部屋根パネル９ｂの一端部９ｂ１１には外気取入孔９ｂ７が設けられ、この外気取入孔９ｂ７から取り入れられた外気ａが、一端部９ｂ１１側から他端部９ｂ１２側に向かって通気層９ｂ８を通過し、屋根棟１ｂ側に位置する他端部９ｂ１２に形成された通気孔９ｂ９から抜け出る。これにより、下部屋根パネル９ｂ内部には熱がこもらず、下部屋根パネル９ｂの温度上昇が抑えられ、屋根裏空間の温度上昇も抑えられる。なお、下部屋根パネル９ｂの通気孔９ｂ９は、屋根棟１ｂ部側に位置しているので、屋根裏空間の下部からは外気ａが入り込まず、したがって、屋根裏空間に居住性を考慮した適度な換気を行うことができる。すなわち、屋根裏空間の温度上昇を防止しながら、屋根裏空間を部屋としても有効利用できる。
【００４１】
▲２▼住宅１に設置された下部屋根パネル９ｂの通気孔９ｂ９から抜け出た外気ａは、棟１ｂ部に形成された排気孔９ａ４と頂部壁パネル５ａに形成された貫通孔５ａ７との双方から外部空間に排出される。すなわち、換気経路を確実に確保しながら、住宅１の換気をより安定的に行うことができる。
【００４２】
▲３▼下部屋根パネル９ｂに形成された通気孔９ｂ９と棟１ｂ部との間に設けられた停留部１ｂ１によって、通気孔９ｂ９から抜け出た外気ａが停留する。停留した外気ａは、屋根裏空間内部の空気の流れに乗って屋根裏空間全体に行き渡る。すなわち、屋根裏空間全体にわたっての換気を行うことができる。
【００４３】
▲４▼棟１ｂ部には排気孔９ａ４が形成され、この排気孔９ａ４と下部屋根パネル９ｂに形成された通気孔９ｂ９とは近接している。これにより、下部屋根パネル９ｂ内部には熱がこもらず、下部屋根パネル９ｂ及び屋根裏空間の温度上昇は抑えられるが、屋根裏空間の換気量は小さくなる。すなわち、屋根裏空間上部のみの換気を行うことができる。
【００４４】
▲５▼軒１ａと棟１ｂとの間には、これらに沿って梁材（中間部梁８）が設けられ、屋根パネル（下部屋根パネル９ｂ）の他端部は梁材（中間部梁８）に支持されている。すなわち、屋根パネル（下部屋根パネル９ｂ）の他端部９ｂ１２は、棟１ｂ部に設けられる梁材によってではなく、棟１ｂより軒１ａ側に位置する梁材（中間部梁８）によって支持されている。これにより、屋根パネル（下部屋根パネル９ｂ）を棟１ａと軒１ｂとにまたがるように大きく形成する必要がない。したがって、屋根パネル（下部屋根パネル９ｂ）を安価に製造することができる。
【００４５】
なお、本実施の形態においては、上部屋根パネル９ａと下部屋根パネル９ｂとを中間部梁８を介して当接させて設置しているが、特に上部屋根パネル９ａを設置しなくてもよいことは勿論である。すなわち、下部屋根パネル９ｂを軒１ａから棟１ｂまで延在させて設置してもよい。この場合、棟１ｂ部に形成される排気孔９ａ４と下部屋根パネル９ｂに形成される通気孔９ｂ９とを近接させておくことで以下の効果を得ることができる。すなわち、下部屋根パネル９ｂ内部には熱がこもらず、下部屋根パネル９ｂ及び屋根裏空間の温度上昇は抑えられるが、屋根裏空間の換気量は小さくなる。すなわち、屋根裏空間上部のみの換気を行うことができる。
【００４６】
なお、本実施の形態においては、住宅１を切妻形式のものとしているが、住宅１が寄棟形式である場合にも本発明を適用できることは勿論である。
【００４７】
【発明の効果】
請求項１に記載の発明によれば、軒を形成する屋根パネルの一端部には吸気孔が設けられ、この吸気孔から取り入れられた外気が、一端部側から他端部側に向かって通気層を通過し、屋根棟側に位置する他端部に形成された抜出孔から抜け出る。これにより、屋根パネル内部には熱がこもらず、屋根パネルの温度上昇が抑えられ、屋根裏空間の温度上昇も抑えられる。なお、屋根パネルの抜出口は、屋根棟部側に位置しているので、屋根裏空間の下部からは外気が入り込まず、したがって、屋根裏空間に居住性を考慮した適度な換気を行うことができる。すなわち、屋根裏空間の温度上昇を防止しながら、屋根裏空間を部屋としても有効利用できる。
【００４８】
請求項２に記載の発明によれば、請求項１に記載の発明と同様の効果が得られることは勿論のこと、切妻形式の建物に設置された屋根パネルの抜出孔から抜け出た外気は、棟部と建物妻面とのうちの少なくとも一方に形成された排気孔から外部空間に排出される。すなわち、換気経路を確実に確保しながら、建物の換気をより安定的に行うことができる。
【００４９】
請求項３に記載の発明によれば、請求項１に記載の発明と同様の効果が得られることは勿論のこと、寄棟形式の建物に設置された屋根パネルの抜出孔から抜け出た外気は、棟部に形成された排気孔から外部空間に排出される。すなわち、換気経路を確実に確保しながら、建物の換気をより安定的に行うことができる。
【００５０】
請求項４に記載の発明によれば、請求項２又は請求項３に記載の発明と同様の効果が得られることは勿論のこと、屋根パネルに形成された抜出孔と棟部との間に設けられた停留部によって、抜出孔から抜け出た外気が停留する。停留した外気は、屋根裏空間内部の空気の流れに乗って屋根裏空間全体に行き渡る。すなわち、屋根裏空間全体にわたっての換気を行うことができる。
【００５１】
請求項５に記載の発明によれば、請求項２〜請求項４のいずれか一項に記載の発明と同様の効果が得られることは勿論のこと、排気孔と屋根パネルに形成された抜出孔とは近接しているため、屋根パネル内部には熱がこもらず、屋根パネル及び屋根裏空間の温度上昇は抑えられるが、屋根裏空間の換気量は小さくなる。すなわち、屋根裏空間上部のみの換気を行うことができる。
【００５２】
請求項６に記載の発明によれば、屋根パネルの他端部は、棟部に設けられる梁材によってではなく、棟より軒側に位置する梁材によって支持されている。これにより、屋根パネルを棟と軒とにまたがるように大きく形成する必要がない。したがって、屋根パネルを安価に製造することができる。
【図面の簡単な説明】
【図１】本発明に係る住宅を示す斜視図である。
【図２】本発明に係る住宅の一施工工程を示す斜視図である。
【図３】（ａ）は本発明に係る頂部壁パネルを示す斜視図であり、（ｂ）は頂部壁パネルが妻方向の外壁の頂部設置された状態を示す正面図であり、（ｃ）は頂部壁パネルが妻方向の内壁の頂部に設置された状態を示す正面図である。
【図４】本発明に係る下部屋根パネルの、（ａ）は全体を示す斜視図、（ｂ）は長辺方向の断面図、（ｃ）は上端部を示す斜視図、（ｄ）は短辺方向の断面図である。
【図５】本発明に係る住宅の一施工工程を示す斜視図である。
【図６】（ａ）、（ｂ）ともに、本発明に係る住宅の一施工工程を示す斜視図である。
【図７】本発明に係る住宅の一施工工程を示す斜視図である。
【図８】上部屋根パネル及び下部屋根パネルが設置された本発明に係る住宅の妻方向の断面図である。
【図９】（ａ）は、本発明に係る住宅の一施工工程を示す斜視図であり、（ｂ）は、本発明に係る住宅に設置された状態の下部屋根パネルによる屋根の換気構造を示す断面図である。
【図１０】上部屋根パネル及び下部屋根パネルが設置された本発明に係る住宅の妻方向の断面図である。
【図１１】従来における屋根の換気構造の一例を示す断面図である。
【符号の説明】
１                住宅
１ａ            軒
１ａ１        軒下
１ｂ            棟
１ｂ１        停留部
５ａ            頂部壁パネル（妻面）
５ａ７        貫通孔（排気孔）
８                中間部梁（梁材）
９ａ４        排気孔
９ｂ            下部屋根パネル（屋根パネル）
９ｂ２        面材
９ｂ３        ロックウール（断熱材）
９ｂ７        外気取入孔（吸気孔）
９ｂ８        通気層
９ｂ９        通気孔（抜出孔）
９ｂ１１      一端部
９ｂ１２      他端部
ａ                外気
【図１】
2004169417.tif 000003
【図２】
2004169417.tif 000004
【図３】
2004169417.tif 000005
【図４】
2004169417.tif 000006
【図５】
2004169417.tif 000007
【図６】
2004169417.tif 000008
【図７】
2004169417.tif 000009
【図８】
2004169417.tif 000010
【図９】
2004169417.tif 000011
【図１０】
2004169417.tif 000012
【図１１】
2004169417.tif 000013